(57)【特許請求の範囲】
【請求項１】
フレーム（２）の端部に押圧面部（２ａ）を形成し、この押圧面部（２ａ）に間隔をおいて一対の支持アーム（５、５）を設け、これら支持アーム（５、５）の先端部間に、締付バンド（４）を巻き付ける支軸（６）を設けると共に、前記支持アーム（５、５）間に操作部材（８）を回動自在として取り付けたものとし、前記操作部材（８）は、内端を押圧操作部（８ａ）とし、外端を引上げ操作部（８ｂ）とし、この押圧操作部（８ａ）に、前記フレーム（２）の押圧面部（２ａ）を押圧して弾性変形するようにした弾性片（１２）が設けられ、前記押圧操作部（８ａ）と引上げ操作部（８ｂ）の中間部に、係合爪（１５ａ）を有した係合体（１５）が設けられ、この係合体（１５）の係合爪（１５ａ）を、前記支軸（６）に巻き付けて折り返した締付バンド（４）の表面側の長さ方向に複数設けた突出部（９）の何れかに係脱自在とし、さらに前記支軸（６）と前記押圧面部（２ａ）との間における前記支持アーム（５、５）間に係合部（７）を設けたものとすると共に、前記係合体（１５）に係合片（１５ｂ）を有したものとし、前記操作部材（８）を回動させたときに、前記係合部（７）に係合片（１５ｂ）が係合して、それ以上操作部材（８）が回動しないようにしたことを特徴とする顔面装着具。
【発明の詳細な説明】
【技術分野】
【０００１】
この発明は、締付バンドを付けた各種のゴーグル、眼鏡、マスク等の顔面装着具に関するものである。
【背景技術】
【０００２】
従来、この種の顔面装着具としては、例えば図５、６に示したような水中メガネが存在する。この水中メガネは、メガネ本体２１の側部２２ａ、２２ｂの各々の略央部にバンド幅程度の間隔を置いて板２３ａ、２３ｂを配したものとしている。そして、前記板２３ａ、２３ｂを連ねる背板２４にバンド通しロ２４ａを形成して、それに幅方向にわたる突条２５ａが間欠的に形成された締付バンド２５を通している。さらに、前記板２３ａと２３ｂ間に軸架された軸２６に装着片２７を旋転可能に軸支し、一方のフック部２７ａが締付バンド２５の突条２５ａと突条２５ａの間に常時くい入る方向に前記装着片２７をバネ２８により回動付勢するようにしている（特許文献１）。
【０００３】
このように構成した従来の顔面装着具では、締付バンド２５の締め付け具合を調節するには、先ず、装着片２７の押加部２９を押し、フック部２７ａを締付バンド２５より離す。すると、この状態においては締付バンド２５は自由に移動できるので、引き出したり、縮めたりの調節をすることができるとしている。
【０００４】
さらに、この従来の顔面装着具では、上記したように締付バンド２５の調節後、装着片２７に対する押加を解けば、装着片２７はバネ２８の力によってバンドを押す方向に回動付勢されるので、フック部２７ａが締付バンド２５の突条２５ａと突条２５ａの間にくい入り、締付バンド２５の位置が決められるとしている。
【０００５】
したがって、上記図５、６示した従来の顔面装着具では、装着片２７を単に押加して、フック部２７ａを締付バンド２５から離せば締付バンド２５の長さを自由に調節でき、逆に装着片２７に対する押加を解けば、フック部２７ａは締付バンド２５にくい入り、締付バンド２５を固定するので、締付バンド２５はしっかりと決められた長さで装着されるから、ワンタッチにより締付バンド２５の締め具合を調節できるとしている。
【０００６】
また、この種の顔面装着具としては、例えば図７〜９に示したような水中マスクが存在する。この水中マスクは、締付バンドの緊締力調整装置を備えたものとしている。この緊締力調整装置は、一対の支持片３１を有し、その支持片３１の先端部間にガイド軸３２を設けたバックル３３と、前記ガイド軸３２にかけられて折り返された締付バンド３４と、前記支持片３１間においてガイド軸３２に対してスライド自在に設けられた操作部材３５とから成るものとしている。そして、前記締付バンド３４のガイド軸３２と摺接する面の背面側に複数の突出部３４ａを締付バンド３４の長さ方向に所要の間隔をおいて設けている。さらに、前記各突出部３４ａの表面に締付バンド３４の折返しバンド３４ｂを引く方向に向けて傾斜するテーパ面３４ｃを設け、前記操作部材３５には前記突出部３４ａの一つに対して係合可能な係合爪３５ａを形成している。また、バックル３３には操作部材３５がガイド軸３２から離反する方向にスライドするのを防止して係合爪３５ａを突出部３４ａと係合する状態に保持し、前記操作部材３５を押圧して後にスライドさせたとき弾性変形する弾性片３６を一体に設けたものとしている（特許文献２）。
【０００７】
このように構成した従来の顔面装着具では、締付バンド３４の折返しバンド３４ｂを引くことによって突出部３４ａのテーパ面３４ｃが係合爪３５ａを押圧するため、操作部材３５が後にスライドし、締付バンド３４の緊縛力を強くすることができるとしている。
【０００８】
さらに、この従来の顔面装着具では、操作部材３５を指先の押圧により後にスライドさせることにより、係合爪３５ａがガイド軸３２から離反して突出部３４ａとの係合が解除するため、締付バンド３４を引くことにより、緊締力を弱くすることができるとしている。
【０００９】
したがって、上記図７〜９示した従来の顔面装着具では、折返しバンド３４ｂを引くことによって締付バンド３４の緊締力を強くすることができ、操作部材３５をスライドさせることによって締付バンド３４を弛めることができるため、締付バンド３４の緊締力調整に際して水中マスクを取外す必要がなく、装着状態において調整することができるとしている。
【先行技術文献】
【特許文献】
【００１０】
【特許文献１】実公昭５９−２５４１４号公報
【特許文献２】実開平５ー９１６３６号公報
【発明の概要】
【発明が解決しようとする課題】
【００１１】
しかしながら、上記図５、６に示した従来の顔面装着具は、締付バンド２５を緩めるには、装着片２７の押加部２９を押し、バネ２８を縮める必要があるが、バネ２８の上付近を押すために、強い力で押す必要があり、顔面に装着した状態では操作し難いという問題点を有していた。
【００１２】
さらに、上記従来の顔面装着具は、締付バンド２５を緩めるには、バネ２８の上付近を押すだけの操作をすればよいとしているが、顔面に装着した状態では、前記バネ２８の上付近を押すというだけの操作では、その操作がし難いこともあり、不便であるという問題点を有していた。
【００１３】
また、上記従来の顔面装着具は、締付バンド２５を緩めるための構成部材として装着片２７とバネ２８の二部品から成っており、部品点数が複数個となって、組み立てが困難であるという問題点を有していた。
【００１４】
そして、上記図７〜９に示した従来の顔面装着具は、操作部材３５をスライドさせて、締付バンド３４を緩める構造にしているが、スライド操作は指が滑り易く、顔面に装着した状態では操作し難いという問題点を有していた。
【００１５】
さらに、上記従来の顔面装着具は、締付バンド３４を緩めるには、操作部材３５をスライドさせるだけの操作をすればよいとしているが、顔面に装着した状態では、前記操作部材３５をスライドさせるというだけの操作では、その操作がし難いこともあり、不便であるという問題点を有していた。
【００１６】
また、上記従来の顔面装着具でも、締付バンド３４を緩めるための構成部材としてバックル３３と操作部材３５の二部品から成っており、図５、６に示した顔面装着具と同様に、部品点数が複数個となって、組み立てが困難であるという問題点を有していた。
【００１７】
そこで、この発明は、上記従来の問題点を解決することをその課題としており、顔面に装着した状態において、操作部材を操作し易くし、さらに押す操作または引き上げる操作の何れによっても、締付バンドを緩めることができ、また締付バンドを緩めるための構成部材を操作部材の一個にした顔面装着具を提供することを目的としてなされたものである。
【課題を解決するための手段】
【００１８】
そのため、この発明の顔面装着具は、フレーム２の端部に押圧面部２ａを形成し、この押圧面部２ａに間隔をおいて一対の支持アーム５、５を設け、これら支持アーム５、５の先端部間に、締付バンド４を巻き付ける支軸６を設けると共に、前記支持アーム５、５間に操作部材８を回動自在として取り付けたものとし、前記操作部材８は、内端を押圧操作部８ａとし、外端を引上げ操作部８ｂとし、この押圧操作部８ａに、前記フレーム２の押圧面部２ａを押圧して弾性変形するようにした弾性片１２が設けられ、前記押圧操作部８ａと引上げ操作部８ｂの中間部に、係合爪１５ａを有した係合体１５が設けられ、この係合体１５の係合爪１５ａを、前記支軸６に巻き付けて折り返した締付バンド４の表面側の長さ方向に複数設けた突出部９の何れかに係脱自在とし、さらに前記支軸６と前記押圧面部２ａとの間における前記支持アーム５、５間に係合部７を設けたものとすると共に、前記係合体１５に係合片１５ｂを有したものとし、前記操作部材８を回動させたときに、前記係合部７に係合片１５ｂが係合して、それ以上操作部材８が回動しないようにしたものとしている。
【発明の効果】
【００２３】
この発明の顔面装着具は、以上に述べたように構成されているので、顔面に装着した状態において、操作部材が操作し易くなり、押す操作または引き上げる操作の何れによっても、締付バンドを緩めることができるようになり、非常に便利なものとなった。
【００２４】
さらに、この発明の顔面装着具は、締付バンドを緩めるための構成部材としての操作部材を一個にしたので、組み立てが簡単なものとなった。
【図面の簡単な説明】
【００２５】
【図１】この発明の顔面装着具の一実施形態を示す斜視図である。
【図２】図１に示すこの発明の顔面装着具の要部の分解斜視図である。
【図３】図１に示すこの発明の顔面装着具の締付バンドが締め付けられている状態の断面図である。
【図４】図１に示すこの発明の顔面装着具の締付バンドを緩めることができる状態の断面図である。
【図５】従来の顔面装着具の一例を示す斜視図である。
【図６】図５に示す従来の顔面装着具の締付バンドが締め付けられている状態の断面図である。
【図７】従来の顔面装着具の他の例を示す斜視図である。
【図８】図７に示す従来の顔面装着具の締付バンドが締め付けられている状態の断面図である。
【図９】図７に示す従来の顔面装着具の締付バンドを緩めることができる状態の断面図である。
【発明を実施するための形態】
【００２６】
以下、この発明の顔面装着具を実施するための形態を、図面に基づいて詳細に説明する。
【００２７】
図１〜４は、この発明の顔面装着具をスイミングゴーグルとした実施形態を示している。このスイミングゴーグルは、レンズ１と、このレンズ１と一体化したフレーム２と、このフレーム２の背面側に設けられたパッド３と、このフレーム２の両端に接続された締付バンド４とから構成されている。
【００２８】
前記フレーム２の端部には、押圧面部２ａを形成し、この押圧面部２ａに所要の間隔をおいて一対の支持アーム５、５を一体として設けたものとしている。
【００２９】
前記支持アーム５、５の先端部間には、締付バンド４を巻き付ける支軸６を設けており、この支軸６と前記フレーム２の押圧面部２ａとの間における前記支持アーム５、５間には、係合部７を設けたものとしている。さらに、前記支持アーム５、５間には、操作部材８が回動自在として取り付けられている。
【００３０】
前記締付バンド４は、ゴムバンドなどの伸縮性を有する部材からなるものとするのが好ましいが、伸縮性を有さない部材からなるものとしてもよい。この締付バンド４は、表面側には長さ方向に所要の間隔をおいて複数の突出部９が設けられており、前記支軸６に巻き付けて折り返すようにしている。
【００３１】
前記操作部材８は、バネ特性や摩擦特性に優れたポリブチレンテレフタレート、ポリアミド等の合成樹脂の一体成形品からなるものとしており、内端を押圧操作部８ａとし、外端を引上げ操作部８ｂとしたものとしている。さらに、前記押圧操作部８ａの表面側と引上げ操作部８ｂの裏面側には、操作時に指が滑り難いようにそれぞれ滑止め用突起１０を設けたものとしている。また、前記押圧操作部８ａと引上げ操作部８ｂの間における操作部材８の中央部には、この操作部材８の曲げ強度を補強するためのリブ１１が設けられている。
【００３２】
前記操作部材８には、押圧操作部８ａに対向して、前記フレーム２の押圧面部２ａを押圧して弾性変形するようにした弾性片１２が設けられ、さらに前記操作部材８には、押圧操作部８ａに対向して、一対の支持片１３が設けられ、これら支持片１３の先端に形成された支持突起１３ａを、前記支持アーム５にそれぞれ形成された支持孔１４に支持することにより、操作部材８は、前記したように支持アーム５、５間に回動自在として取り付けられている。なお、前記操作部材８の弾性片１２と前記フレーム２の押圧面部２ａとの間には、空間部Ｓを設けたものとし、この空間部Ｓを前記操作部材８の回動域となるようにしている。したがって、前記空間部Ｓを広くしたり、狭くしたりすることにより、前記操作部材８の回動具合を適当なものにすることができる。
【００３３】
前記操作部材８には、押圧操作部８ａと引上げ操作部８ｂの中間部に対向して、係合爪１５ａと係合片１５ｂを有した係合体１５が設けられている。前記係合爪１５ａは、前記支軸６に巻き付けて折り返した締付バンド４の表面側の長さ方向に所要の間隔をおいて複数設けた突出部９の何れかに係脱自在としている。前記係合片１５ｂは、前記引上げ操作部８ｂを指で引いて操作部材８を回動させたときに、前記支持アーム５、５間に設けた係合部７に係合して、それ以上操作部材８が回動しないようにし、前記操作部材８が支持アーム５、５間から外れないようにしている。
【００３４】
このように構成したスイミングゴーグルは、図３に示した状態では、操作部材８の弾性片１２がフレーム２の端部の押圧面部２ａを押圧しているので、操作体８の係合爪１５ａが締付バンド４を押し付けた状態で、その突出部９の何れかと係合し、締付バンド４が固定された状態になっている。なお、前記弾性片１２の肉厚や長さを変更したり、前記空間部Ｓを広くしたり、狭くしたりすることによって、前記係合体１５の係合爪１５ａが前記締付バンド４を押し付ける力を適当な強さに調整することができる。
【００３５】
そこで、前記スイミングゴーグルを着用した着用者が、図３に示した状態から締付バンド４の折り返した側４ａを引くと、この引く力によって締付バンド４の突出部９が係合体１５の係合爪１５ａを押し返し、操作部材８の弾性片１２がフレーム２の端部の押圧面部２ａに押し付けられて弾性変形して、操作部材８が支持突起１３ａを中心として回動し、締付バンド４の突出部９と係合体１５の係合爪１５ａの係合が外れ、図４に示した状態となる。なお、前記締付バンド４の折り返した側４ａを引く場合には、片手の指だけで行ってもよいが、もう片手の指で支持アーム５、５を押さえて、着用したスイミングゴーグルが移動しないようにしてから行ってもよい。この場合、前記支持アーム５、５には、押さえた指が滑り難いようにそれぞれ滑止め用突起１６を設けたものとすることができる。
【００３６】
そして、前記締付バンド４の折り返した側４ａの引くのを止めると、操作部材８の弾性片１２がその弾性力によって前記フレーム２の端部の押圧面部２ａから押し戻され、再び図３に示した状態となり、係合体１５の係合爪１５ａが締付バンド４の突出部９の何れかと係合し、締付バンド４が固定された状態になり、締付バンド４を締め付ける操作が終了する。なお、この締付バンド４を締め付ける操作は、スイミングゴーグルを着用する前に行うことができるのは言うまでもない。
【００３７】
次に、前記スイミングゴーグルを着用した着用者が、図３に示した状態から操作部材８の押圧操作部８ａを指で押すか、操作部材８の引上げ操作部８ｂを指で引き上げると、前記したのと同様に図４に示した状態となり、締付バンド４の折り返していない側４ｂを引くことにより、この締付バンド４を緩めることができる。
【００３８】
そして、前記操作部材８の押圧操作部８ａを指で押すのを止めるか、操作部材８の引上げ操作部８ｂを指で引き上げるのを止めると、前記したのと同様に再び図３に示した状態となり、係合体１５の係合爪１５ａが締付バンド４の突出部９の何れかと係合し、締付バンド４が固定された状態になり、締付バンド４を緩める操作が終了する。なお、この締付バンド４を緩める操作も、スイミングゴーグルを着用する前に行うことができるのは言うまでもない。
【００３９】
この発明の顔面装着具は、以上に述べたように構成されており、着用した状態において、前記操作部材８の押圧操作部８ａを指で押すか、操作部材８の引上げ操作部８ｂを指で引き上げるかの何れの操作によっても、締付バンド４を容易に緩めることができるようになるので、非常に操作し易く便利なものとなった。
【００４０】
さらに、この発明の顔面装着具は、締付バンド４を緩めるための操作部材８を、一個の合成樹脂の一体成形品からなるものとしたので、組み立てが簡単なものとなった。
【符号の説明】
【００４１】
２  フレーム
２ａ  押圧面部
４  締付バンド
５  支持アーム
６  支軸
７  係合部
８  操作部材
８ａ  押圧操作部
８ｂ  引上げ操作部
９  突出部
１２  弾性片
１３  支持片
１３ａ  支持突起
１４  支持孔
１５  係合体
１５ａ  係合爪
１５ｂ  係合片
Ｓ  空間部
【図１】
0005630704.tif 000002
【図２】
0005630704.tif 000003
【図３】
0005630704.tif 000004
【図４】
0005630704.tif 000005
【図５】
0005630704.tif 000006
【図６】
0005630704.tif 000007
【図７】
0005630704.tif 000008
【図８】
0005630704.tif 000009
【図９】
0005630704.tif 000010